(57)【要約】【課題】簡単な装置であるにも関わらず、野球の参加者および／または野球の観覧者の視覚に投手の球数または球速を認識させる。【解決手段】野球における投手が投げたボールの球数または球速を表示する装置であって、野球の参加者および／または野球の観覧者の視覚に認識可能に、数字を表示する表示器１００と、表示器１００へ表示させる球数を入力する入力器２００と、表示器１００へ表示させる球速を測定する測定器３００と、表示器１００と、入力器２００および測定器３００のいずれか一方とを選択的に接続する接続ケーブル４００とを含み、表示器１００は、電源ケーブル５００を介して電力の供給を受ける供給部を備え、供給された電力により球数または球速を表示し、接続ケーブル４００を経由して表示器１００から測定器３００へ電力を供給することができる。【選択図】図２
2022002606.tif 000002
【特許請求の範囲】
【請求項１】
野球またはソフトボールにおける投手が投げたボールの球数を表示する表示装置であって、
前記野球またはソフトボールの参加者および／または前記野球またはソフトボールの観覧者の視覚に認識可能に、数字を表示する表示器と、
前記表示器へ表示させる球数を入力する入力器と、
前記表示器と前記入力器とを接続する接続ケーブルとを含み、
前記表示器は、電力の供給を受ける供給部を備え、前記供給された電力により球数を表示する、表示装置。
【請求項２】
野球またはソフトボールにおける投手が投げたボールの球速を表示する表示装置であって、
前記野球またはソフトボールの参加者および／または前記野球またはソフトボールの観覧者の視覚に認識可能に、数字を表示する表示器と、
前記表示器へ表示させる球速を測定する測定器と、
前記表示器と前記測定器とを接続する接続ケーブルとを含み、
前記表示器は、電力の供給を受ける供給部を備え、前記供給された電力により球速を表示し、
前記接続ケーブルを経由して前記表示器から前記測定器へ電力を供給することが可能な、表示装置。
【請求項３】
野球またはソフトボールにおける投手が投げたボールの球数または球速を表示する装置であって、
前記野球またはソフトボールの参加者および／または前記野球またはソフトボールの観覧者の視覚に認識可能に、数字を表示する表示器と、
前記表示器へ表示させる球数を入力する入力器と、
前記表示器へ表示させる球速を測定する測定器と、
前記表示器と、前記入力器および前記測定器のいずれか一方とを選択的に接続する接続ケーブルとを含み、
前記表示器は、電力の供給を受ける供給部を備え、前記供給された電力により球数または球速を表示し、
前記接続ケーブルを経由して前記表示器から前記測定器へ電力を供給することが可能な、表示装置。
【発明の詳細な説明】
【技術分野】
【０００１】
本発明は、野球またはソフトボール（以下においてはソフトボールを含めて野球と記載する）における投手が投げたボール（本発明におけるボールとは野球用品としての軟式球または硬式球等を意味するものであり、野球における判定としてのストライク／ボールのボールを意味するものではない）の球数（投球数と同じ）または球速を表示する表示装置に関し、特に、簡単な装置であるにも関わらず、野球の参加者および／または野球の観覧者の視覚に、投手の球数または球速を認識させることが可能な表示装置に関する。
【背景技術】
【０００２】
移動する測定対象物の最大速度を測定する速度測定装置として、ドップラーセンサを用いたものが知られている。これは、被測定対象物である物体に向けてマイクロ波を照射し、物体による反射波を測定する。物体がマイクロ波の進行方向に対して運動している時は、ドップラー効果によって反射波の周波数が変化するため、これと発射波の周波数を比較することにより、物体の速さを算出することができる。この種のドップラーセンサを用いた速度測定装置は、野球において投手が投げるボールの速度（球速）を測定するのに用いられることが広く知られている。
【０００３】
この種の速度測定装置として、特開２０１１−１０２７１８号公報（特許文献１）に開示されるものがある。この特許文献１に開示された速度測定装置は、マイクロ波を送受信するアンテナと、そのアンテナから出力される信号に基づき測定対象物の速度（ピッチャーの投球したボールの速度）を測定するための制御を行う制御部と、それらアンテナならびに制御部を内蔵するケース本体とを備え、前記ケース本体は、本体部分と、その本体部分の先端側に設けられたアンテナ収納部と有し、そのアンテナ収納部の上下方向の長さが、前記本体部分の上下方向の長さよりも長くしたことを特徴とするとともに、前記本体部分の上面に表示部を設け、前記ケース本体の下方に電池ボックスを設けている。
【先行技術文献】
【特許文献】
【０００４】
【特許文献１】特開２０１１−１０２７１８号公報
【発明の概要】
【発明が解決しようとする課題】
【０００５】
しかしながら、特許文献１に開示された速度測定装置を用いて野球における投手が投げたボールの球速を測定しても、その測定された球速は速度測定装置のケース本体の本体部分の上面に設けられた表示部（特許文献１における表示パネル１４であって液晶ディスプレイ等）に表示されるに過ぎず、測定者以外の野球の参加者および／または野球の観覧者がこの速度測定装置により測定された球速を知ることができない。なお、プロ野球のフランチャイズ球場のセンター後方のバックスクリーンの上方に大型映像装置（一例ではあるが縦８ｍ×横３０ｍ）を設けて、その一部に球速表示エリアを設けることにより、測定者以外の野球の参加者および／または野球の観覧者がこの大型映像装置の球速表示エリアを見ることができるので、この速度測定装置により測定された球速を知ることができるが、極めて高額な費用が必要になり、アマチュア野球等（軟式野球・硬式野球を問わず小学生、中学生、高校生等による野球）においては依然として特許文献１に開示された速度測定装置により測定された球速を簡易な装置で知ることができない。
【０００６】
ところで、投手の過度な投球数（球数と同じ）による障害（肩・肘の痛み）を予防するために、ひとりの投手が投げることのできる投球数を制限する動きがある。たとえば、日本高校野球連盟は、ひとりのピッチャーが１週間に公式戦で投げられる球数の上限を（たとえば５００球までと）決めている。投手の投球数は、この投球数を含めた試合経過および得点を、たとえば味方（自軍）のスコアラーまたはマネージャー等が記録することが高校野球等で行われている。
【０００７】
しかしながら、この場合においても、記録者（ここでスコアラーおよびスコアラーから伝達可能な監督やコーチ等の者）以外の野球の参加者および／または野球の観覧者がこの記録された投球数を知ることができない。なお、上述したように、バックスクリーンの上方に大型映像装置の一部に投球数表示エリアを設けることができても、アマチュア野球等においては依然として記録された投球数を簡易な装置で知ることができない点については、球速と同じである。
【０００８】
さらに、特許文献１に開示された速度測定装置の内部回路は、ケース本体の下方に設けられた電池ボックスに収められた電池からの電源供給により動作させている。このため、全ての投球について１試合２チーム分の球速を測定するためには、試合の途中で電池の残量がなくなり新しい電池への交換が必要になることが多い。無論、可搬性を犠牲にして、プロ野球のフランチャイズ球場のように据え置き型の速度測定装置を設置して商用電源を（必要に応じて電圧等を変換して）供給することにより電池の残量を気にしなくてもよくなるものの、上述したように可搬性もなくなるし、アマチュア野球等においては球速を簡易な装置で長時間に亘って測定することができないので実情である。
【０００９】
このように、従来においては、野球の参加者および／または野球の観覧者の視覚に投手の球数または球速を簡単な装置で認識させることができないという問題点があった。さらに、特許文献１に開示されたような従来の速度測定装置では、試合の途中で電池切れの可能性があるという問題点があった。
本発明は、従来技術の上述の問題点に鑑みて開発されたものであり、その目的とするところは、簡単な装置であるにも関わらず、野球またはソフトボールの参加者および／または野球またはソフトボールの観覧者の視覚に投手の球数または球速を認識させることが可能な表示装置を提供することである。さらに、本発明の目的とするところは、簡単な装置であるにも関わらず、電池切れを気にすることなく球速測定することのできる表示装置を提供することである。ここで、簡単な装置における簡単とは、低価格である、小型である、可搬性に優れる、扱いやすい、設置が容易である等々を含む意味である。
【課題を解決するための手段】
【００１０】
上記目的を達成するため、本発明に係る表示装置は、以下の技術的手段を講じている。
すなわち、本発明のある局面に係る表示装置は、野球またはソフトボールにおける投手が投げたボールの球数を表示する表示装置であって、前記野球またはソフトボールの参加者および／または前記野球またはソフトボールの観覧者の視覚に認識可能に、数字を表示する表示器と、前記表示器へ表示させる球数を入力する入力器と、前記表示器と前記入力器とを接続する接続ケーブルとを含み、前記表示器は、電力の供給を受ける供給部を備え、前記供給された電力により球数を表示することを特徴とする。
【００１１】
また、本発明の別の局面に係る表示装置は、野球またはソフトボールにおける投手が投げたボールの球速を表示する表示装置であって、前記野球またはソフトボールの参加者および／または前記野球またはソフトボールの観覧者の視覚に認識可能に、数字を表示する表示器と、前記表示器へ表示させる球速を測定する測定器と、前記表示器と前記測定器とを接続する接続ケーブルとを含み、前記表示器は、電力の供給を受ける供給部を備え、前記供給された電力により球速を表示し、前記接続ケーブルを経由して前記表示器から前記測定器へ電力を供給することが可能なことを特徴とする。
【００１２】
さらに、本発明のさらに別の局面に係る表示装置は、野球またはソフトボールにおける投手が投げたボールの球数または球速を表示する装置であって、前記野球またはソフトボールの参加者および／または前記野球またはソフトボールの観覧者の視覚に認識可能に、数字を表示する表示器と、前記表示器へ表示させる球数を入力する入力器と、前記表示器へ表示させる球速を測定する測定器と、前記表示器と、前記入力器および前記測定器のいずれか一方とを選択的に接続する接続ケーブルとを含み、前記表示器は、電力の供給を受ける供給部を備え、前記供給された電力により球数または球速を表示し、前記接続ケーブルを経由して前記表示器から前記測定器へ電力を供給することが可能なことを特徴とする。
【発明の効果】
【００１３】
本発明に係る表示装置によると、簡単な装置であるにも関わらず、野球またはソフトボールの参加者および／または野球またはソフトボールの観覧者の視覚に投手の球数または球速を認識させることが可能な表示装置を提供することができる。さらに、本発明に係る表示装置によると、簡単な装置であるにも関わらず、電池切れを気にすることなく球速測定することのできる表示装置を提供することができる。
【図面の簡単な説明】
【００１４】
【図１】本発明の実施の形態に係る（Ａ）表示装置（より詳しくは表示装置を構成する表示器１００）の全体斜視図、（Ｂ）その表示装置が使用される野球場の平面図である。
【図２】本発明の実施の形態に係る表示装置の全体システム構成を示す概略図（その１：基本構成）である。
【図３】本発明の実施の形態に係る表示装置の全体システム構成を示す概略図（その２：３台構成）である。
【図４】本発明の実施の形態に係る表示装置の全体システム構成を示す概略図（その３：同時表示構成）である。
【図５】本発明の実施の形態に係る表示装置の制御ブロック図である。
【発明を実施するための最良の形態】
【００１５】
以下、本発明の実施の形態に係る野球またはソフトボール（以下においては詳細なルール等は異なるがソフトボールを含めて野球として記載する）における投手が投げたボールの球数または球速を表示する表示装置（以下において単に表示装置と記載する場合がある）について、図１〜図５に基づいて詳しく説明する。
まずは、図１を参照して、本発明に係る表示装置を構成する表示器１００の一例と、本発明に係る表示装置が設置される野球場における概略的な場所（位置）の一例とについて説明する。
【００１６】
図１（Ａ）に示すように、本発明に係る表示装置を構成する表示器１００は、文字高さ２００ｍｍ程度のドット表示器１４０と、このドット表示器１４０を内包するたとえばアルミ製の箱体とで構成される。箱体の上面には、吊り下げ用金具１１０および運搬時等に手で下げ持つための持ち手１２０が設けられている。また、箱体の底面には、後述する三脚１３２（図４参照）の取付穴が設けられている。
【００１７】
ここで、限定されるものではないが、ドット表示器１４０は，３桁（百位桁表示部１４２、十位桁表示部１４４、一位桁表示部１４６）で構成され、百位桁表示部１４２は「０」、「１」の数字が表示されたり表示なし（点灯ドットなし）であって、十位桁表示部１４４および一位桁表示部１４６は「０」〜「９」のの数字が表示されたり表示なし（点灯ドットなし）である。なお、百位桁表示部１４２も十位桁表示部１４４および一位桁表示部１４６と同様に「０」〜「９」の数字が表示されるようにしても構わない。このドット表示器１４０（百位桁表示部１４２、十位桁表示部１４４および一位桁表示部１４６）に表示される数字は、上述したように文字高さ２００ｍｍで、さらにたとえば橙色のドット表示または７セグメント表示がその一例（ここではドット表示）として挙げられる。また、限定されるものではないが、この表示器１００は、屋外防滴仕様であって、１平方メートルあたり輝度５０００ｃｄ（カンデラ）程度、視認距離１００ｍ程度、視認角度６０度程度であって、アクリル製のカバーを備え、後述するように輝度調整機能（図５に示す輝度調整ボタン１４８）を備えることが好ましい。
【００１８】
このようなドット表示器１４０を備えた表示器１００は、（詳しくは図２を参照して後述するが）本発明に係る表示装置を構成する。この表示器１００は、図１（Ｂ）に示すように、野球場のバックネット付近、一塁側ベンチ付近、、三塁側ベンチ付近、観客席付近に、野球の参加者および／または野球の観覧者の視覚に認識可能に設置される。たとえば、バックネット付近に投手に向けて設置されたり、観客席付近に観覧者に向けて設置されたりするが、その設置場所もその設置場所におけるドット表示器１４０の向いている方向（野球の参加者向けの方向、野球の観覧者向けの方向）も本発明においては限定されるものではない。
【００１９】
図２を参照して、図１（Ａ）の表示器１００を含む本発明に係る表示装置の全体システム構成（その１：基本構成）について説明する。なお、図２においては、一点鎖線の枠で示す領域が本発明の請求項１に係る範囲を示し、二点鎖線の枠で示す領域が本発明の請求項２に係る範囲を示し、実線の枠で示す領域が本発明の請求項３に係る範囲を示す。
図２において一点鎖線の枠に示すように、本発明に係る表示装置の第１の態様（請求項１に対応する態様）は、野球における投手が投げたボールの球数を表示する表示装置であって、野球の参加者および／または野球の観覧者の視覚に認識可能に、数字を表示する表示器１００と、表示器１００へ表示させる球数を入力する入力器２００と、表示器１００と入力器２００とを接続する接続ケーブル４００とを含み、表示器１００は、電源ケーブル５００を介して電力の供給を受ける供給部（詳しくは図５に示す表示器電力入力部１８０）を備え、供給された電力により球数を表示するものである。
【００２０】
図２において二点鎖線の枠に示すように、本発明に係る表示装置の第２の態様（請求項２に対応する態様）は、野球における投手が投げたボールの球速を表示する表示装置であって、野球の参加者および／または野球の観覧者の視覚に認識可能に、数字を表示する表示器１００と、表示器１００へ表示させる球速を測定する測定器３００と、表示器１００と測定器３００とを接続する接続ケーブル４００とを含み、表示器１００は、電源ケーブル５００を介して電力の供給を受ける供給部（詳しくは図５に示す表示器電力入力部１８０および測定器電力入力部１７０）を備え、供給された電力により球速を表示し、接続ケーブル４００を経由して表示器１００から測定器３００へ電力を供給することが可能なものである。
【００２１】
図２において実線の枠に示すように、本発明に係る表示装置の第３の態様（請求項３に対応する態様）は、野球における投手が投げたボールの球数または球速を表示する装置であって、野球の参加者および／または野球の観覧者の視覚に認識可能に、数字を表示する表示器１００と、表示器１００へ表示させる球数を入力する入力器２００と、表示器１００へ表示させる球速を測定する測定器３００と、表示器１００と、入力器２００および測定器３００のいずれか一方とを選択的に接続する接続ケーブル４００とを含み、表示器１００は、電源ケーブル５００を介して電力の供給を受ける供給部（詳しくは図５に示す表示器電力入力部１８０および測定器電力入力部１７０）を備え、供給された電力により球数または球速を表示し、接続ケーブル４００を経由して表示器１００から測定器３００へ電力を供給することが可能なものである。
【００２２】
ここで、限定されるものではないが、接続ケーブル４００は、いわゆるＬＡＮケーブル（イーサネットケーブル）での利用でよく知られている８線全線が接続されている通信用ケーブルであって、データ送受信可能であるとともに電力送受信可能な接続ケーブルである。このようなＬＡＮケーブルを採用することにより、５０ｍ程度のケーブル長でもデータ送受信および電力送受信が可能となる。このため、表示器１００は、データ送受信用および電力送受信用の入出力インターフェイスとして（図５に示すように）ＲＪ４５コネクタ（ＲＳ−４８５）が採用される入出力Ｉ／Ｆ１６０を備える。接続ケーブル４００は、データ送受信および電力送受信が１本の接続ケーブルにより実現できるものであればＬＡＮケーブルに限定されるものではない。１本の接続ケーブル４００により、表示器１００と測定器３００（または入力器２００）とを接続してデータ送受信および電力送受信できるために設置が極めて容易で取り扱いやすい。
【００２３】
また、図２に示すように、本発明に係る表示装置においては、表示器１００の作動電圧と測定器３００の作動電圧とが異なるために（たとえば表示器１００はＤＣ５Ｖ、測定器３００はＤＣ９Ｖ）、２本の電源ケーブル５００が表示器１００に接続されているが、表示器１００の作動電圧と測定器３００の作動電圧とが同じであれば１本の電源ケーブル５００が表示器１００に接続されるように構成することも可能である（この場合であっても別系統で２本の電源ケーブル５００が表示器１００に接続されるようにしても構わない）。また、表示器１００の作動電圧と測定器３００の作動電圧とが異なる場合であっても１本の電源ケーブル５００が表示器１００に接続されるように構成して、表示器１００の内部回路で電圧調整等をすることも可能である。また、図２においては入力器２００が表示パネル２１０を備えるように表されているが、この入力器２００の表示パネル２１０への入力器２００外からの電力供給は不要であるとする。ただし、表示パネル２１０への入力器２００外からの電力供給が必要であれば、（測定器３００と同じように）表示器１００から入力器２００へ電力を供給することが可能なように構成すればよい。
【００２４】
なお、電源ケーブル５００は、ＡＣアダプタ（さらにＡＣ１００Ｖ電源）またはモバイルバッテリーに接続されて、電力が表示器１００へ（さらには測定器３００へ）供給される。
本発明に係る表示装置のこのような基本構成に替えて、図３に示すような全体システム構成（その２：３台構成）とすることも好ましい。図３（Ａ）は三塁側チームの投手の球数を表示する表示装置であってたとえば三塁側ベンチ付近にその表示器１００が設置され入力器２００は三塁側ベンチ内のスコアラーまたはマネージャー等が操作可能に設置され、図３（Ｂ）は投手が投げたボールの球速を表示する表示装置であってたとえばバックネット付近にその表示器１００が設置され測定器３００はバックネット付近から投手方向へ向けて球速の測定精度が低下しないように設置され、図３（Ｃ）は一塁側チームの投手の球数を表示する表示装置であってたとえば一塁側ベンチ付近にその表示器１００が設置され入力器２００は一塁側ベンチ内のスコアラーまたはマネージャー等が操作可能に設置される。なお、球数に替えて／切り替えて／加えて、点数を表示することもベンチ内のスコアラーまたはマネージャー等が入力器２００を操作することにより可能である。
【００２５】
本発明に係る表示装置のこのような基本構成および３台構成に替えて、図４に示すような全体システム構成（その３：同時表示構成）とすることも好ましい。図４（Ａ）は２台の表示器１００で投手の球数を表示するシステムであって、図４（Ｂ）は２台の表示器１００で投手の球速を表示するシステムである。図４（Ａ）においては２台の表示器１００どうしが接続ケーブル４００により接続されて、球数を２台の表示器１００で同時に表示することができる。図４（Ｂ）においては２台の表示器１００どうしが接続ケーブル４００により接続されて、球速を２台の表示器１００で同時に表示することができる。この場合において、限定されるものではないが、１台の表示器１００がフィールド内閲覧用としてベンチ付近に設置されて球数および球速が表示され、もう１台の表示器１００が観客閲覧用として観客席付近に設置されて球数および球速が表示される。同時に球数または球速を表示する表示器１００は２台に限定されるものではなく、３台以上を直列にさらに接続ケーブルで接続することにより、簡単に表示器１００を増設することができる。
【００２６】
ここで、簡単に入力器２００および測定器３００について説明する。
図２に示すように、入力器２００は、投手の球数を入力するための装置であって、１プッシュ毎に球数が１ずつ増える増加ボタン２２０と、１プッシュ毎に球数が１ずつ減る減少ボタン２３０と、球数を表示する表示パネル２１０（入力部２００外からの電力供給の要否は問わない）と、電源ボタン２４０とを備える。上述したように、この入力器２００の表示パネル２１０への入力器２００外からの電力供給は不要であるとするが、必要に応じて（測定器３００と同じように）表示器１００から入力器２００へ電力を供給することが可能なように構成することができる。
【００２７】
図２に示すように、測定器３００は、特許文献１に開示されたようなドップラーセンサを用いた速度測定装置であって、いわゆるスピードガンと呼ばれ、表示パネル３１０と、ガン形状の持ち手３５０と、トリガー３２０とを備える。なお、トリガー３２０は手動測定用であって、本発明に係る表示装置においては、手動にてこのトリガー３２０を測定者が投手の投球動作に応じて操作して球速を測定しても構わないし、自動的に球速を測定しても構わない。自動的に球速を測定する方法の一例として、被測定対象物である物体（ここでは投手の投げるボール）に向けてマイクロ波を照射し続け（または一定の時間間隔でマイクロ波の照射を繰り返して）、物体による反射波を測定して反射波の周波数が変化すると投球されたと判断して、ボールの速度（球速）を測定する。
【００２８】
入力器２００においても測定器３００においても、接続ケーブル４００を介して、入力器２００に入力された球数および測定器３００により測定された球速が表示器１００へ送信されて表示器１００に表示される。なお、１台の表示器１００に対しては、入力器２００および測定器３００のいずれか一方のみが、接続ケーブル４００を介して表示器１００の入出力Ｉ／Ｆ１６０に接続されている。ここで、球数から球速への表示の切り替えは、入出力Ｉ／Ｆ１６０に接続されている入力器２００の接続ケーブル４００を入出力Ｉ／Ｆ１６０から抜いて、測定器３００の接続ケーブル４００を入出力Ｉ／Ｆ１６０へ差し込むことにより実現され、球速から球数への表示の切り替えは、入出力Ｉ／Ｆ１６０に接続されている測定器３００の接続ケーブル４００を入出力Ｉ／Ｆ１６０から抜いて、入力器２００の接続ケーブル４００を入出力Ｉ／Ｆ１６０へ差し込むことにより実現される。なお、接続ケーブル４００の抜き差しにより球速と球数との表示を切り替えるのではなく、入力側に入力器２００の接続ケーブル４００と測定器３００の接続ケーブル４００との２口のコネクタを備え、出力側に表示器１００の接続ケーブル４００の１口のコネクタを備え、出力側の接続ケーブル４００と入力側のいずれか一方の接続ケーブル４００とを選択的に接続する切替器を設けるようにしても構わない。
【００２９】
図５を参照して、本実施の形態に係る表示装置の制御ブロックについて説明する。なお、制御ブロックの実現は様々な方法が実在しており、以下の説明は一例でしかない。
図５に示すように、表示器１００は、ドット表示器１４０と、ドット表示器１４０の輝度を調整する輝度調整（＋／−）ボタン１４８と、ドット表示器１４０に表示する内容（数字）を制御するドット表示制御部１５０とを備える。ドット表示制御部１５０は、表示器電力入力部１８０に接続され、表示器１００の外部（たとえばモバイルバッテリーやＡＣ１００Ｖ電源６００に接続されたＤＣ５Ｖ電源６２０）から表示器電力入力部（表示器電源差し込み部）１８０へ供給された電力（たとえばＤＣ５Ｖ）により駆動されるとともに、ドット表示器１４０を表示させて（必要なドットを点灯させて）数字を視認可能に表示する。
【００３０】
さらに、表示器１００は、（入力器２００または測定器３００が接続されている）接続ケーブル４００が接続されるＲＪ４５コネクタ（ＲＳ−４８５）が採用された入出力Ｉ／Ｆ１６０を備える。この入出力Ｉ／Ｆ１６０は、たとえば、入力器２００または測定器３００からデータを受信する入力Ｉ／Ｆ１６２と（図４に示したように）さらに別の表示器１００へデータを送信するための出力Ｉ／Ｆ１６４と、測定器３００へ供給する電力のための電力Ｉ／Ｆ１６６とを含んで構成される。電力Ｉ／Ｆ１６６は、測定器電力入力部（測定器電源差し込み部）１７０に接続され、表示器１００の外部（たとえばモバイルバッテリーやＡＣ１００Ｖ電源６００に接続されたＤＣ９Ｖ電源６１０）から測定器電力入力部１７０へ供給された電力（たとえばＤＣ９Ｖ）が供給されるとともに、入出力Ｉ／Ｆ１６０の電力Ｉ／Ｆ１６６および接続ケーブル４００を介して、測定器３００を作動させる。
【００３１】
なお、上述した説明は、現実に実装されるＲＪ４５コネクタがこのように構成されていることを意味するものではなく、この入出力Ｉ／Ｆ１６０が必要な機能を概念として説明したものに過ぎない。ここで、この入出力Ｉ／Ｆ１６０は、入力器２００の入出力Ｉ／Ｆ２９０と接続ケーブル４００により通信可能に接続され、測定器３００の入出力Ｉ／Ｆ３９０と接続ケーブル４００により通信可能に加えて（表示器１００から測定器３００へ）電力供給可能に接続されている。このため、測定器３００には内部電池も必要なく、接続ケーブル４００以外に電源ケーブルを接続する必要もない。特に、１本の接続ケーブル４００により、表示器１００と測定器３００（または入力器２００）とを接続してデータ送受信および電力送受信できるために設置が極めて容易で取り扱いやすい。
【００３２】
以上のようにして、本実施の形態に係る表示装置によると、簡単な装置であるにも関わらず、野球の参加者および／または野球の観覧者の視覚に投手の球数または球速を認識させることが可能な表示装置を提供することができる。さらに、本実施の形態に係る表示装置によると、簡単な装置であるにも関わらず、電池切れを気にすることなく球速測定することのできる表示装置を提供することができる。
【００３３】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３４】
本発明は、野球またはソフトボールにおける投手が投げたボールの球数または球速を表示する表示装置に好ましく、簡単な装置であるにも関わらず、野球またはソフトボールの参加者および／または野球またはソフトボールの観覧者の視覚に投手の球数または球速を認識させることが可能な点で特に好ましい。
【符号の説明】
【００３５】
１００  表示器
２００  入力器
３００  測定器
４００  接続ケーブル
５００  電源ケーブル
【図１】
2022002606.tif 000003
【図２】
2022002606.tif 000004
【図３】
2022002606.tif 000005
【図４】
2022002606.tif 000006
【図５】
2022002606.tif 000007